(57)【要約】【課題】  ゴルフのスイング練習において、ゴルフクラブを単に素振りするだけでは面白味が乏しく、且つ適正なスイングに矯正するための指標となるものは何もない。【解決手段】  内部が中空３で所定長さを有するシャフト２の基端部２ａにグリップ部４を設け、シャフト２の中空部３内に重り５をシャフト長さ方向に移動自在に収容するとともに、シャフト２の先端部２ｂに重り５の抜け止め用の栓６を設けてゴルフスイング練習具を構成しているので、スイング時に重り５がシャフト先端側に移動して衝撃力と衝突音を発現し、実際にゴルフボールを打ったときの感触に近いものを体感できるとともに、その衝撃力等が適正なスイング矯正のための指標にもなる。【選択図】      図３
2006068259.tif 000002
【特許請求の範囲】
【請求項１】
内部が中空（３）で所定長さを有するシャフト（２）の基端部（２ａ）にグリップ部（４）を設け、前記シャフト（２）の中空部（３）内に重り（５）をシャフト長さ方向に移動自在に収容するとともに、シャフト（２）の先端部（２ｂ）に前記重り（５）の抜け止め用の栓（６）を設けたことを特徴とするゴルフスイング練習具。
【発明の詳細な説明】
【技術分野】
【０００１】
本願発明は、ゴルフスイング練習具に関するものである。
【背景技術】
【０００２】
ゴルフクラブのスイング練習は、一般に実際のプレーに使用するゴルフクラブを素振りすることで行われている場合が多い。又、ゴルフスイングは、トップ位置からダウンスイングに移り、打球位置を経てフォロースルーまでの一連の動作として行われるが、その一連の動作中のスイングスピードは、ゴルフボールを打球する時点（又はその直前）が最も速くなるようにすることが好ましい。尚、以下の説明では、スイングスピードを最も速くすべきゴルフボールの打球位置又はその直前位置を総称して「打球位置近傍」と称することがある。
【０００３】
ところで、ゴルフスイングの練習をする場合、プレーに使用するゴルフクラブを素振りするだけでは、実際にゴルフボールを打つ訳ではないので、ゴルフボールに対する打球感がなく、物足りない感覚があった。又、ゴルフクラブを単に素振りするだけでは、一連のスイング動作（ダウンスイング開始からフォロースルー完了まで）のどの時点でトップスピードになったかは解らず、適正なスイングに矯正する作用はほとんどない。即ち、ゴルフスイングは、ゴルフボールの打球位置近傍でトップスピードになることが好ましいが、ゴルフクラブを単に素振りするだけでは、適正なスイングに矯正する（トップスピード位置を適正位置に矯正する）ための指標となるものは何もない。
【０００４】
又、公知のゴルフクラブ（練習用）の中には、特開２００１−１７８８６０（特許文献１）又は特開２００４−１０５６４８（特許文献２）に示されるように、ゴルフクラブのスイング時において、クラブヘッド又はシャフトが風を切る際に音が発生するようにしたものが知られている。尚、この各公知のゴルフクラブでは、スイングスピードが速いほど、高い音が発するものと思われる。
【０００５】
【特許文献１】特開２００１−１７８８６０号公報
【特許文献２】特開２００４−１０５６４８号公報
【発明の開示】
【発明が解決しようとする課題】
【０００６】
ところが、上記した各公知（特許文献１及び特許文献２）のゴルフクラブでは、ゴルフクラブのスイング時に音が発生するものの、一連のスイング動作中に連続して音を発し、のどの時点で最も大きい音が発生したかを判別することは困難であると思われる。従って、ゴルフスイングにおいて「ゴルフボールの打球位置近傍でトップスピードにする」という技能を習得するための指標にはなりにくいものである。又、この各公知のゴルフクラブでは、スイング時に音は出るものの、実際にゴルフボールを打つような打球衝撃がなく、スイング練習用として面白味に欠けるものである。
【０００７】
本願発明は、上記した公知のゴルフクラブの問題点に鑑み、実際の打球感覚に近い感触が得られ、且つ適正なスイング（特にゴルフボールの打球位置近傍でトップスピードにする）を行うための指標を音や衝撃で感知できるようにしたゴルフスイング練習具を提供することを目的としている。
【課題を解決するための手段】
【０００８】
本願発明は、上記課題を解決するための手段として次の構成を有している。尚、本願発明は、ゴルフスイング練習具を対象にしている。
【０００９】
本願発明のゴルフスイング練習具は、内部が中空で所定長さを有するシャフトの基端部にグリップ部を設け、シャフトの中空部内に重りをシャフト長さ方向に移動自在に収容するとともに、シャフトの先端部に重りの抜け止め用の栓を設けて構成されている。
【００１０】
本願のゴルフスイング練習具は、実際にゴルフボールを打つものではないので、シャフト先端部にクラブヘッドは不要であるが、該クラブヘッド付きのものであっても差し支えない。
【００１１】
又、このゴルフスイング練習具の大きさは、特に限定するものではないが、全長が５００〜７００mm程度、シャフト外径が１４〜１８mm程度（この場合、シャフト内径が１１〜１５mm程度）のものが好ましい。尚、全長を５００〜７００mm程度にすると、室内でもスイング練習をすることができる。
【００１２】
シャフト内の中空部に収容されている重りは、かなりの重量があるものがよい（例えば５０〜１００ｇの範囲が適当）。尚、シャフト内の中空部は、内径に限界があるので、該重りは比重の大きい鉄鋼製（鉄鋼の比重は約７.８）で所定長さの丸棒状のものが好ましい。この場合（重りが丸棒鋼の場合）、重り移動時にシャフト中空部の内面との摩擦（接触面）を少なくするために、重りの外径を中空部内径よりかなり小さく（例えば重り外径を８〜１０mm）し、その分、長さを調整（例えば１００〜２００mm程度の範囲で調整）して所定重量にする。
【００１３】
シャフト先端部の栓は、ネジ止めあるいは溶接によって強固に固定されているが、必要に応じてシャフトと栓に跨がって抜け止め用のピンを挿通させてもよい。尚、シャフト基端部側は、グリップ部の基端部で閉塞されているが、別に栓を設けてもよい。
【００１４】
本願のゴルフスイング練習具では、グリップ部を握ってシャフト先端側を振り上げた状態では、シャフト中空部内の重りが自重によってグリップ側に移動している。そして、スイング時には、このゴルフスイング練習具が、トップ姿勢からダウンスイングに移り、打球位置（正面から見てほぼ鉛直位置）を経てフォロースルー完了姿勢まで、順次角度を変えながら移動するが、その間にシャフト内の重りがグリップ側からシャフト先端側に急速に移動する。この重りを移動させる作用は、主としてスイング時の遠心力であり、それに加えて重りの自重も加味される。そして、重りがシャフト先端部（栓部分）に達すると、該重りが栓に衝突することにより、衝撃力と衝突音が発生する。
【００１５】
ところで、ゴルフスイングは、１回当たり１秒内外のごく短時間で完了するが、一連のスイング中において、スイングスピードがゴルフボールの打球位置近傍で最も速くなる（トップスピードになる）ようにすることが好ましい。即ち、ゴルフボールを打球する瞬間のスイングスピード（ヘッドスピード）が速いほど、ゴルフボールの飛距離が長くなる。  そして、本願のゴルフスイング練習具では、スイング開始からダウンスイング中のトップスピードになる付近で遠心力が最も大きく働き、そのときシャフト内の重りがシャフト基端側からシャフト先端側に移動する作用が強く働く。尚、シャフトを水平面に対して例えば角度４５°程度下降傾斜させると、シャフト内部の重りが自重により中空部内面との摩擦力に抗してシャフト先端側に移動するようになるが、ダウンスイング開始からシャフトがゴルフボール打球位置に向く姿勢（正面から見てほぼ鉛直位置）になるまでは瞬時である。従って、シャフトがどの程度下降傾斜した時点で重りがシャフト先端側に移動したかは定かでないが、ゴルフボール打球位置付近では確実に重りがシャフト先端側の栓に衝突しており、スイング練習者にはゴルフボール打球位置付近で重りの移動衝撃力を感じるとともに重りが栓に衝突する衝突音が聞こえるようになる。尚、この重りの衝撃力と衝突音は、実際にゴルフボールをクラブヘッドで打球したときの衝撃反力と打球音に近いものとなる。
【発明の効果】
【００１６】
このように、本願発明のゴルフスイング練習具では、素振り時にゴルフボール打球位置付近で重りの移動衝撃力を感じるとともに重りが栓に衝突する衝突音が聞こえるので、実際にゴルフボールを打ったときの衝撃力と打球音に近い感触が得られ、実際にゴルフボールを打たないでもスイング練習を楽しく行えるという効果がある。
【００１７】
又、このゴルフスイング練習具では、スイングスピードが、実際にゴルフボールを適正に打球するときのスピード程度まで速くならないと、重りの移動タイミングがずれて適正位置（ゴルフボール打球位置付近）での衝撃力及び衝突音が得られず、従ってこのゴルフスイング練習具では、上記衝撃力及び衝突音が適正スイングの指標となるので、ゴルフスイングの矯正機能もあるという効果がある。
【実施例】
【００１８】
図１〜図３を参照して本願実施例のゴルフスイング練習具を説明すると、図１及び図２に示すゴルフスイング練習具１は、内部が中空（符号３）で所定長さを有するシャフト２の基端部２ａにグリップ部４を設け、該シャフト２の中空部３内に重り５をシャフト長さ方向に移動自在に収容するとともに、シャフト２の先端部２ｂに重り５の抜け止め用の栓６を設けて構成されている。尚、この実施例のゴルフスイング練習具１は、実際にゴルフボールを打つものではないので、シャフト先端部２ｂにクラブヘッドは取付けていない。
【００１９】
このゴルフスイング練習具１の大きさは、全長が５００〜７００mmで、シャフト２部分の外径が１５〜１８mm（内径が１２〜１５mm）の範囲が好ましい。尚、全長を５００〜７００mm程度にすると、室内でもスイング練習をすることができる。
【００２０】
シャフト２内の中空部３に収容されている重り４は、鋼鉄製で５０〜１００ｇ程度の重量を有している。尚、この重り５の重量は、軽すぎるとスイング時の移動力が低くなり、重すぎると移動衝撃力が大きくなり過ぎて実際のゴルフボール打球感覚が得られない。又、この重り５は、シャフト中空部３の内径に限界があるので、適正重り重量（５０〜１００ｇ）を確保するために所定長さの丸棒鋼（丸棒鋼の比重は約７.８）を使用している。この実施例では、重り５として、外径が８〜１０mm程度で長さが１００〜２００mm程度の範囲のものを使用しており、該重り５がシャフト中空部３内で自由に移動できるようになっている。尚、重り５の材質又は上記の各数値は特に限定するものではなく、適宜に設計変更できるものである。
【００２１】
シャフト先端部２ｂの栓６は、鋼鉄製で該シャフト先端部２ｂにネジ止めあるいは溶接によって強固に固定されているとともに、抜け止め用のピン７で補強している。尚、該栓６には鋼鉄製のものが使用されているので、重り５（鋼鉄製）が衝突したときに衝突音が大きくなるが、該衝突音が大きくなり過ぎる場合には、栓６の内端面にゴム等の緩衝材を貼着してもよい。又、この実施例では、シャフト２の基端部２ａ側にも、別の栓８を設けている。
【００２２】
この実施例のゴルフスイング練習具は、次のように機能する。まず、図３（Ａ）に示すように、グリップ部４を握ってシャフト先端側を振り上げた状態では、シャフト２内の重り５が自重によってグリップ４側に移動している（図２に符号５′で図示する位置）。尚、図３の（Ａ）〜（Ｃ）において、重り５は黒塗り表示している。そして、スイング時には、このゴルフスイング練習具１が、図３（Ａ）のトップ姿勢からダウンスイングに移り、図３（Ｂ）に示す打球位置（正面から見てほぼ鉛直位置）を経て、図３（Ｃ）のフォロースルー完了姿勢まで、順次角度を変えながら移動する。又、このゴルフスイング練習具１をダウンスイングするときには、シャフト２内の重り５に大きい遠心力が加わり、図３（Ｂ）に示すゴルフボール打球位置付近においてシャフト２内の重り５がグリップ５側からシャフト先端側（栓６側）に急速に移動する（図２に符号５″で図示する位置）。そして、重り５がシャフト先端部２ｂに達すると、該重り５が栓６に衝突することにより、衝撃力と衝突音が発生する。
【００２３】
ところで、ゴルフスイングは、一連のスイング中において、スイングスピードがゴルフボールの打球位置近傍で最も速くなる（トップスピードになる）ようにすることが好ましい。そして、この実施例のゴルフスイング練習具１では、スイング開始からダウンスイング中のトップスピードになる付近で遠心力が最も大きく働き、そのときシャフト２内の重り５がシャフト基端側からシャフト先端側に移動する作用が強く働く。又、ゴルフスイングは、図３（Ａ）に示すダウンスイング開始時点から、図３（Ｂ）に示すシャフト２がゴルフボール打球位置に向く姿勢になるまでは瞬時であり、この間にシャフト２内の重り５がシャフト先端部（栓６）まで急速に移動する。
【００２４】
又、ダウンスイングの間は瞬時であるので、シャフト２がどの程度下降傾斜した時点で重り５がシャフト先端側に移動したかは定かでないが、図３（Ｂ）のゴルフボール打球位置付近では確実に重り５がシャフト先端側に移動しており、スイング練習者にはゴルフボール打球位置付近で重り５の移動衝撃力を感じるとともに重り５が栓６に衝突する衝突音が聞こえるようになる。この重り５の衝撃力と衝突音は、実際にゴルフボールを打球したときの衝撃と打球音に近いものである。
【００２５】
従って、このゴルフスイング練習具１を使用すると、素振りするだけで（ゴルフボールを打たなくても）、実際にゴルフボールを打ったときのような感触を体感でき、スイング練習を楽しく行える。
【００２６】
又、このゴルフスイング練習具１では、スイングスピードが、実際にゴルフボールを適正に打球するときのスピード程度まで速くないと、重り５の移動タイミングがずれて適正位置（ゴルフボール打球位置付近）で衝撃力及び衝突音が得られない。従って、このゴルフスイング練習具には、上記衝撃力及び衝突音によって適正スイングのための矯正機能がある。
【図面の簡単な説明】
【００２７】
【図１】本願実施例のゴルフスイング練習具の正面図である。
【図２】図１のII−II断面図である。
【図３】図１のゴルフスイング練習具の機能説明図である。
【符号の説明】
【００２８】
１はゴルフスイング練習具、２はシャフト、２ａはシャフト基端部、２ｂはシャフト先端部、３は中空部、４はグリップ部、５は重り、６は栓である。
【図１】
2006068259.tif 000003
【図２】
2006068259.tif 000004
【図３】
2006068259.tif 000005